(57)【要約】【課題】予約録画の開始時刻にタイムシフト録画が行われている場合において予約録画を優先して実行させる。【解決手段】アクセス制御部３０は、記録媒体４０を用いたタイムシフト録画中に資源予約部９０をチェックして、録画予約の存在を認識する。予約録画の開始時刻が迫ると、アクセス制御部３０は記録媒体４０を用いたタイムシフト録画を中止する。また、アクセス制御部３０は、資源調査部７０により生成された資源管理部８０をチェックして、記録媒体４０の代わりにタイムシフト録画を行える機器を検索する。記録媒体４１が利用可能であれば、アクセス制御部３０は記録媒体４１を用いたタイムシフト録画を開始する。【選択図】      図１
2004221907.tif 000002
【特許請求の範囲】
【請求項１】
記録媒体に所定の内容を記録し再生する記録再生装置に対してアクセス制御を行うアクセス制御装置において、
前記記録媒体への記録の開始を前記記録再生装置に指示する手段と、
前記記録媒体に関する記録予約を調べる手段と、
前記記録媒体に関する記録予約が存在する場合にはその記録予約の記録開始時刻が迫ると前記記録媒体への記録の終了を前記記録再生装置に指示する手段とを具備することを特徴とするアクセス制御装置。
【請求項２】
当該アクセス制御装置に接続される装置に関する装置情報を保持する資源管理手段と、
この資源管理手段に保持された装置情報に基づいて前記記録再生装置以外に使用可能な他の記録再生装置を検索する手段と、
前記他の記録再生装置が存在する場合には前記記録予約の記録開始時刻が迫ると前記他の記録再生装置に記録媒体への記録の開始を指示する手段とをさらに具備することを特徴とする請求項１記載のアクセス制御装置。
【請求項３】
当該アクセス制御装置に接続される装置を調べてその装置情報を前記資源管理手段に保持させる資源調査手段をさらに具備することを特徴とする請求項２記載のアクセス制御装置。
【請求項４】
バスリセットを検知するバスリセット検知手段をさらに具備し、
前記資源調査手段は、前記バスリセット検知手段がバスリセットを検知すると前記アクセス制御装置に接続される装置を調べる
ことを特徴とする請求項３記載のアクセス制御装置。
【請求項５】
前記装置情報は、装置の種別を含むことを特徴とする請求項３記載のアクセス制御装置。
【請求項６】
前記装置情報は、記録中の内容を再生する機能を有する装置であることを示す情報を含むことを特徴とする請求項３記載のアクセス制御装置。
【請求項７】
記録媒体に所定の内容を記録し再生する少なくとも一つの記録再生装置と、当該記録再生装置に対してアクセス制御を行うアクセス制御装置とを具備する記録再生システムであって、
前記記録再生装置は、その記録媒体に関する記録予約を保持する資源予約部を備え、
前記アクセス制御装置は、前記記録媒体への記録の開始を前記記録再生装置に指示する手段と、前記資源予約部における前記記録媒体に関する記録予約を調べる手段と、前記記録媒体に関する記録予約が存在する場合にはその記録予約の記録開始時刻が迫ると当該記録媒体への記録の終了を前記記録再生装置に指示する手段とを備えることを特徴とする記録再生システム。
【請求項８】
前記記録再生装置は、前記記録媒体に記録中の内容を再生する手段をさらに備えることを特徴とする請求項７記載の記録再生システム。
【請求項９】
前記アクセス制御装置は、当該アクセス制御装置に接続される装置に関する装置情報を保持する資源管理手段と、前記記録の開始を指示した記録再生装置以外に使用可能な他の記録再生装置を前記資源管理手段に保持された装置情報に基づいて検索する手段と、前記他の記録再生装置が存在する場合には前記記録予約の記録開始時刻が迫ると前記他の記録再生装置に記録媒体への記録の開始を指示する手段とをさらに備えることを特徴とする請求項７記載の記録再生システム。
【請求項１０】
前記アクセス制御装置は、当該アクセス制御装置に接続される装置を調べてその装置情報を前記資源管理手段に保持させる資源調査手段をさらに備えることを特徴とする請求項９記載の記録再生システム。
【請求項１１】
記録媒体に所定の内容を記録し再生する記録再生装置に対してアクセス制御を行うアクセス制御方法において、
前記記録媒体への記録の開始を前記記録再生装置に指示する手順と、
前記記録媒体に関する記録予約を調べる手順と、
前記記録媒体に関する記録予約が存在する場合にはその記録予約の記録開始時刻が迫ると前記記録媒体への記録の終了を前記記録再生装置に指示する手順とを具備することを特徴とするアクセス制御方法。
【請求項１２】
記録媒体に所定の内容を記録し再生する記録再生装置に対してアクセス制御を行うアクセス制御方法において、
前記記録媒体への記録の開始を前記記録再生装置に指示する手順と、
前記記録媒体に関する記録予約を調べる手順と、
前記記録媒体に関する記録予約が存在する場合にはその記録予約の記録開始時刻が迫ると前記記録媒体への記録の終了を前記記録再生装置に指示する手順と、
前記記録再生装置以外に使用可能な他の記録再生装置を検索する手順と、
前記他の記録再生装置が存在する場合には前記記録予約の記録開始時刻が迫ると前記他の記録再生装置に記録媒体への記録の開始を指示する手順とを具備することを特徴とするアクセス制御方法。
【請求項１３】
記録媒体に所定の内容を記録し再生する記録再生装置に対してアクセス制御を行うためのプログラムであって、
前記記録媒体への記録の開始を前記記録再生装置に指示する手順と、
前記記録媒体に関する記録予約を調べる手順と、
前記記録媒体に関する記録予約が存在する場合にはその記録予約の記録開始時刻が迫ると前記記録媒体への記録の終了を前記記録再生装置に指示する手順とをコンピュータに実行させることを特徴とするプログラム。
【請求項１４】
記録媒体に所定の内容を記録し再生する記録再生装置に対してアクセス制御を行うためのプログラムであって、
前記記録媒体への記録の開始を前記記録再生装置に指示する手順と、
前記記録媒体に関する記録予約を調べる手順と、
前記記録媒体に関する記録予約が存在する場合にはその記録予約の記録開始時刻が迫ると前記記録媒体への記録の終了を前記記録再生装置に指示する手順と、
前記記録再生装置以外に使用可能な他の記録再生装置を検索する手順と、
前記他の記録再生装置が存在する場合には前記記録予約の記録開始時刻が迫ると前記他の記録再生装置に記録媒体への記録の開始を指示する手順とをコンピュータに実行させることを特徴とするプログラム。
【発明の詳細な説明】
【０００１】
【発明の属する技術分野】
本発明は、記録再生システムに関し、特に実行中の記録動作と実行が予定されている記録予約との調整を行うアクセス制御装置およびそのアクセス制御方法ならびに当該方法をコンピュータに実行させるプログラムに関する。
【０００２】
【従来の技術】
記録再生装置には、録画中の内容をユーザの指示により時間差で再生する機能を有するものがある。このような機能をタイムシフト機能といい、この機能を用いた再生をタイムシフト再生という。また、タイムシフト再生を行うための録画をタイムシフト録画という。このようなタイムシフト機能を有する記録再生装置として、例えば、オーディオビデオハードディスク装置（ＡＶ−ＨＤＤ等と呼ばれる。）がある（例えば、特許文献１参照。）。
【０００３】
また、記録再生装置は、所定のインターフェースにより他のオーディオ装置やコンピュータ等と接続することができる。このインターフェースの一つとして、米国電気電子学会により標準化されたＩＥＥＥ１３９４という規格がある。このようなインターフェースにより接続された記録再生装置においては、相互に接続された複数の装置からの指示により録画再生やタイムシフト再生等が行われる。
また、インターフェースにより接続された装置は物理的に独立した装置に限られず、ある装置の内蔵機器として接続される場合もある。
【０００４】
このような記録再生装置は、予め指定された時間に所定の番組等の内容を記録させる録画予約の機能を有するのが通常である。この録画予約は、上述のインターフェースを介して他の装置から指示され得る。この録画予約がなされている場合には、予定の開始時刻になると、その予約された予約録画が動作する。しかし、同時に複数の録画動作を行えない記録再生装置において、予約された開始時刻に他の録画動作が行われている場合には、予約録画を行うことができず結果として録画予約が取り消されることになる。例えば、ＩＥＥＥ１３９４規格によるインターフェースにおいて予約の重複を防ぐための情報を提供するリソーススケジュールボード（Ｒｅｓｏｕｒｃｅ  Ｓｃｈｅｄｕｌｅ  Ｂｏａｒｄ）を用いて、予約の実行が可能か否かを判断するアルゴリズムが提案されている（例えば、特許文献２参照。）。
【０００５】
【特許文献１】
特開２０００−１３６７８号公報（図１）
【特許文献２】
特開２００２−４４５７９号公報（図１）
【０００６】
【発明が解決しようとする課題】
上述の従来技術では、インターフェースにより接続された装置から録画予約が指示されてその予約された開始時刻に他の録画動作が行われている場合には、予約録画を行うことができず結果として録画予約が取り消されてしまう。しかし、予約された開始時刻にタイムシフト録画が行われている場合には、ユーザとしてはタイムシフト録画よりも予約録画を優先することを希望するのが通常であると考えられる。従って、既に予約されていた予約録画を取り消さずに実行させることが望ましい。
【０００７】
そこで、本発明の目的は、予約録画の開始時刻にタイムシフト録画が行われている場合において予約録画を優先して実行させることにある。
【０００８】
【課題を解決するための手段】
上記課題を解決するために本発明の請求項１記載のアクセス制御装置は、記録媒体に所定の内容を記録し再生する記録再生装置に対してアクセス制御を行うアクセス制御装置であって、前記記録媒体への記録の開始を前記記録再生装置に指示する手段と、前記記録媒体に関する記録予約を調べる手段と、前記記録媒体に関する記録予約が存在する場合にはその記録予約の記録開始時刻が迫ると前記記録媒体への記録の終了を前記記録再生装置に指示する手段とを具備する。これにより、既に記録媒体への記録が行われていても記録予約を取り消すことなく実行させるという作用をもたらす。
【０００９】
また、本発明の請求項２記載のアクセス制御装置は、請求項１記載のアクセス制御装置においてさらに、当該アクセス制御装置に接続される装置に関する装置情報を保持する資源管理手段と、この資源管理手段に保持された装置情報に基づいて前記記録再生装置以外に使用可能な他の記録再生装置を検索する手段と、前記他の記録再生装置が存在する場合には前記記録予約の記録開始時刻が迫ると前記他の記録再生装置に記録媒体への記録の開始を指示する手段とを具備する。これにより、記録予約された記録再生装置に代えて他の記録再生装置により記録を継続させるという作用をもたらす。
【００１０】
また、本発明の請求項３記載のアクセス制御装置は、請求項２記載のアクセス制御装置においてさらに、当該アクセス制御装置に接続される装置を調べてその装置情報を前記資源管理手段に保持させる資源調査手段を具備する。これにより、使用可能な装置に変動があった際にも適時に資源管理手段を更新させるという作用をもたらす。
【００１１】
また、本発明の請求項４記載のアクセス制御装置は、請求項３記載のアクセス制御装置においてさらに、バスリセットを検知するバスリセット検知手段を具備し、前記資源調査手段は前記バスリセット検知手段がバスリセットを検知すると前記アクセス制御装置に接続される装置を調べるものである。これにより、バスリセットを契機として使用可能な装置の変動を資源管理手段に適時に反映させるという作用をもたらす。
【００１２】
また、本発明の請求項５記載のアクセス制御装置は、請求項３記載のアクセス制御装置においてさらに、前記装置情報は装置の種別を含む。これにより、記録予約された記録再生装置に代えて使用可能な他の記録再生装置を検索することを容易にするという作用をもたらす。
【００１３】
また、本発明の請求項６記載のアクセス制御装置は、請求項３記載のアクセス制御装置においてさらに、前記装置情報は記録中の内容を再生する機能を有する装置であることを示す情報を含む。これにより、記録予約された記録再生装置に代えてタイムシフト録画を実行可能な他の記録再生装置を検索することを容易にするという作用をもたらす。
【００１４】
また、本発明の請求項７記載の記録再生システムは、記録媒体に所定の内容を記録し再生する少なくとも一つの記録再生装置と、当該記録再生装置に対してアクセス制御を行うアクセス制御装置とを具備する記録再生システムであって、前記記録再生装置が、その記録媒体に関する記録予約を保持する資源予約部を備えるものであり、前記アクセス制御装置が、前記記録媒体への記録の開始を前記記録再生装置に指示する手段と、前記資源予約部における前記記録媒体に関する記録予約を調べる手段と、前記記録媒体に関する記録予約が存在する場合にはその記録予約の記録開始時刻が迫ると当該記録媒体への記録の終了を前記記録再生装置に指示する手段とを備えるものである。これにより、既に記録媒体への記録が行われていても記録予約を取り消すことなく実行させるという作用をもたらす。
【００１５】
また、本発明の請求項８記載の記録再生システムは、請求項７記載のアクセス制御装置においてさらに、前記記録再生装置が前記記録媒体に記録中の内容を再生する手段を備えるものである。これにより、既に記録媒体へのタイムシフト録画が行われていても、記録予約を取り消すことなく実行させるという作用をもたらす。
【００１６】
また、本発明の請求項９記載の記録再生システムは、請求項７記載のアクセス制御装置においてさらに、前記アクセス制御装置が、当該アクセス制御装置に接続される装置に関する装置情報を保持する資源管理手段と、前記記録の開始を指示した記録再生装置以外に使用可能な他の記録再生装置を前記資源管理手段に保持された装置情報に基づいて検索する手段と、前記他の記録再生装置が存在する場合には前記記録予約の記録開始時刻が迫ると前記他の記録再生装置に記録媒体への記録の開始を指示する手段とを備えるものである。これにより、記録予約された記録再生装置に代えて他の記録再生装置により記録を継続させるという作用をもたらす。
【００１７】
また、本発明の請求項１０記載の記録再生システムは、請求項９記載のアクセス制御装置においてさらに、前記アクセス制御装置が、当該アクセス制御装置に接続される装置を調べてその装置情報を前記資源管理手段に保持させる資源調査手段をさらに備えるものである。これにより、使用可能な装置に変動があった際にも適時に資源管理手段を更新させるという作用をもたらす。
【００１８】
また、本発明の請求項１１記載のアクセス制御方法は、記録媒体に所定の内容を記録し再生する記録再生装置に対してアクセス制御を行うアクセス制御方法であって、前記記録媒体への記録の開始を前記記録再生装置に指示する手順と、前記記録媒体に関する記録予約を調べる手順と、前記記録媒体に関する記録予約が存在する場合にはその記録予約の記録開始時刻が迫ると前記記録媒体への記録の終了を前記記録再生装置に指示する手順とを具備する。これにより、既に記録媒体への記録が行われていても記録予約を取り消すことなく実行させるという作用をもたらす。
【００１９】
また、本発明の請求項１２記載のアクセス制御方法は、記録媒体に所定の内容を記録し再生する記録再生装置に対してアクセス制御を行うアクセス制御方法であって、前記記録媒体への記録の開始を前記記録再生装置に指示する手順と、前記記録媒体に関する記録予約を調べる手順と、前記記録媒体に関する記録予約が存在する場合にはその記録予約の記録開始時刻が迫ると前記記録媒体への記録の終了を前記記録再生装置に指示する手順と、前記記録再生装置以外に使用可能な他の記録再生装置を検索する手順と、前記他の記録再生装置が存在する場合には前記記録予約の記録開始時刻が迫ると前記他の記録再生装置に記録媒体への記録の開始を指示する手順とを具備する。これにより、記録予約された記録再生装置に代えて他の記録再生装置により記録を継続させるという作用をもたらす。
【００２０】
また、本発明の請求項１３記載のプログラムは、記録媒体に所定の内容を記録し再生する記録再生装置に対してアクセス制御を行うためのプログラムであって、前記記録媒体への記録の開始を前記記録再生装置に指示する手順と、前記記録媒体に関する記録予約を調べる手順と、前記記録媒体に関する記録予約が存在する場合にはその記録予約の記録開始時刻が迫ると前記記録媒体への記録の終了を前記記録再生装置に指示する手順とをコンピュータに実行させるものである。これにより、既に記録媒体への記録が行われていても記録予約を取り消すことなく実行させるという作用をもたらす。
【００２１】
また、本発明の請求項１４記載のプログラムは、記録媒体に所定の内容を記録し再生する記録再生装置に対してアクセス制御を行うためのプログラムであって、前記記録媒体への記録の開始を前記記録再生装置に指示する手順と、前記記録媒体に関する記録予約を調べる手順と、前記記録媒体に関する記録予約が存在する場合にはその記録予約の記録開始時刻が迫ると前記記録媒体への記録の終了を前記記録再生装置に指示する手順と、前記記録再生装置以外に使用可能な他の記録再生装置を検索する手順と、前記他の記録再生装置が存在する場合には前記記録予約の記録開始時刻が迫ると前記他の記録再生装置に記録媒体への記録の開始を指示する手順とをコンピュータに実行させるものである。これにより、記録予約された記録再生装置に代えて他の記録再生装置により記録を継続させるという作用をもたらす。
【００２２】
【発明の実施の形態】
次に本発明の実施の形態について図面を参照して詳細に説明する。
【００２３】
図１は、本発明の実施の形態による記録再生システムの機能構成の一例を示す図である。この例では、アクセス制御装置１０に２つの記録再生装置２０および２１が接続されている。記録再生装置２０は、所定の内容が記録される記録媒体４０と、この記録媒体４０に関する録画予約の状況を保持する資源予約部９０とを備えている。ここで、記録媒体４０は、ランダムアクセス可能で録画と再生を同時に実行できるものとして、ハードディスクや半導体メモリ等が想定される。
また、資源予約部９０は、予約の重複を防ぐための情報を提供するものとして、例えば、ＩＥＥＥ１３９４規格インターフェースにおけるリソーススケジュールボード等が想定される。このリソーススケジュールボードは、ブリテンボードサブユニット（Ｂｕｌｌｅｔｉｎ  Ｂｏａｒｄ  Ｓｕｂｕｎｉｔ）のボードタイプの一つであり、ＡＶ／Ｃコマンド（ＡＶ／Ｃ  Ｄｉｇｉｔａｌ  Ｉｎｔｅｒｆａｃｅ  Ｃｏｍｍａｎｄ  Ｓｅｔ）と呼ばれるコマンドセットにより制御されるものである。なお、記録再生装置２１も同様に、記録媒体４１と、資源予約部９１とを備えている。
【００２４】
アクセス制御装置１０は、当該アクセス制御装置１０に接続される装置を調べる資源調査部７０と、この資源調査部７０により検索された装置の装置情報を保持する資源管理部８０と、この資源管理部８０に基づいて使用可能な記録再生装置に対してアクセス制御を行うアクセス制御部３０とを備える。資源調査部７０は、例えば、インターフェースに新たな装置が接続され又はこれまで接続されていた装置が切り離された際のバスリセットを検知すると、それを契機として当該インターフェースに接続中の装置を検索する。資源管理部８０は、例えば、装置の識別子と装置の種別とを対応させて保持するリソース管理テーブル８００（図１１）として実現することができる。
【００２５】
アクセス制御部３０は、例えば、記録媒体４０への記録の開始を記録再生装置２０に指示した後、定期的に記録媒体４０に関する記録予約を調べ、記録媒体４０に関する記録予約が存在する場合にはその記録予約の記録開始時刻が迫ると記録媒体４０への記録の終了を記録再生装置２０に指示する。その一方で、アクセス制御部３０は、例えば、資源管理部８０に保持された装置情報に基づいて記録再生装置２０以外に使用可能な他の記録再生装置を検索する。その結果、アクセス制御部３０は、資源予約部９１により記録再生装置２１が使用可能であると判断した場合、記録媒体４０への記録予約の記録開始時刻が迫ると記録再生装置２１に記録媒体４１への記録の開始を指示する。
【００２６】
図２は、本発明の実施の形態による記録再生システムの具体例を示す図である。この例では、アクセス制御装置１０の一例としてデジタル放送受信装置１００が、記録再生装置２０の一例としてオーディオビデオハードディスク装置２００が使用されており、両者がバス４００により相互に接続されている。デジタル放送受信装置１００は、インターフェース１９０を有しており、このインターフェース１９０はバス４００を介してオーディオビデオハードディスク装置２００の（図示しない）インターフェースに接続する。例えば、ＩＥＥＥ１３９４は、これらインターフェース１９０およびバス４００における信号のやりとりについて規格している。オーディオビデオハードディスク装置２００は、記録媒体４０としてハードディスク２４０を、資源予約部９０としてリソーススケジュールボード２０９をそれぞれ有している。
【００２７】
図３は、本発明の実施の形態におけるデジタル放送受信装置１００の構成例を示す図である。このデジタル放送受信装置１００は、プロセッサ１１０と、メモリ１２０と、フラッシュメモリ１３０と、チューナ１４０と、復調部１５０と、デマルチプレクサ１６０と、音声復号部１６７と、画像復号部１６８と、デジタル−アナログ（Ｄ／Ａ：Ｄｉｇｉｔａｌ−Ａｎａｌｏｇ）変換部１７０と、音声出力部１７７と、画像出力部１７８と、インターフェース１９０とを備える。これらはバス１８０により接続される。また、外部機器として、アンテナ１０９と、スピーカ１０７と、ディスプレイ１０８とを接続する。
【００２８】
プロセッサ１１０は、デジタル放送受信装置１００全体の動作を制御する。メモリ１２０は、プロセッサ１１０の主記憶に該当し、プロセッサ１１０上で動作するプログラム等が記憶される。フラッシュメモリ１３０は、不揮発性の記録媒体であり、デジタル放送受信装置１００の電源を切った後で再び必要とされる情報を保持するために使用される。従って、デジタル放送受信装置１００の電源が入ると、このフラッシュメモリ１３０の内容がメモリ１２０に転送されるようになっている。
【００２９】
チューナ１４０は、アンテナ１０９から供給された放送信号からプロセッサ１１０の制御によって所定チャンネルの信号を検波して復調部１５０に供給する。
放送信号は、地上波でもよく、放送衛星（ＢＳ：Ｂｒｏａｄｃａｓｔｉｎｇ  Ｓａｔｅｌｌｉｔｅ）放送や通信衛星（ＣＳ：Ｃｏｍｍｕｎｉｃａｔｉｏｎ  Ｓａｔｅｌｌｉｔｅ）放送による衛星信号でもよい。復調部１５０は、プロセッサ１１０の制御によりチューナ１４０からの放送信号を復調してデータを取り出してデマルチプレクサ１６０に供給する。デジタル放送の場合は、例えば位相変調（ＰＳＫ：Ｐｈａｓｅ  Ｓｈｉｆｔ  Ｋｅｙｉｎｇ）等によりデジタル変調されており、復調部１５０はこのデジタル変調された信号からデータを取り出す。
【００３０】
デマルチプレクサ１６０は、復調部１５０からのデータを音声データと画像データとに分離して、音声復号部１６７および画像復号部１６８にそれぞれ供給する。デマルチプレクサ１６０は、例えばデジタルデータのトランスポートデコーダとして機能し、ＭＰＥＧ（Ｍｏｖｉｎｇ  Ｐｉｃｔｕｒｅ  Ｅｘｐｅｒｔｓ  Ｇｒｏｕｐ）−２のトランスポートストリームを音声データとしての音声ストリームと画像データとしての画像ストリームとに分離する。また、デマルチプレクサ１６０は、メモリ１２０からのデータもバス１８０を介して受け取ることができる。
【００３１】
音声復号部１６７および画像復号部１６８は、デマルチプレクサ１６０から供給された音声データおよび画像データをそれぞれ復号して、Ｄ／Ａ変換部１７０に供給する。例えば、ＭＰＥＧ符号化された音声ストリームおよび画像ストリームをＭＰＥＧ復号して、音声信号および画像信号とする。
【００３２】
Ｄ／Ａ変換部１７０は、音声復号部１６７および画像復号部１６８から供給されたデジタル信号をアナログ信号に変換して音声出力部１７７および画像出力部１７８に供給する。音声出力部１７７および画像出力部１７８は、スピーカ１０７に音声信号、ディスプレイ１０８に画像信号をそれぞれ供給する。
【００３３】
インターフェース１９０は、デジタル放送受信装置１００内部のバス１８０と外部のバス４００とを接続する。また、インターフェース１９０は、ＭＰＥＧ−２のトランスポートストリームをアイソクロナス（Ｉｓｏｃｈｒｏｎｏｕｓ）転送するためにデマルチプレクサ１６０と接続する。このアイソクロナス転送とは、一定時間あたりの転送量を保証する一種の同期転送であり、例えば、ＩＥＥＥ１３９４では、サイクルスタートパケットに同期して１２５μｓ（マイクロ秒）毎にデータパケットの転送が完了することを保証する。
【００３４】
図４は、本発明の実施の形態におけるインターフェース１９０の構成例を示す図である。このインターフェース１９０は、プロセッサ１９１と、メモリ１９２と、フラッシュメモリ１９３と、リンクレイヤ１９５と、物理レイヤ１９６と、コネクタ１９９とを備える。
【００３５】
プロセッサ１９１は、インターフェース１９０全体の動作を制御する。メモリ１９２は、プロセッサ１９１の主記憶に該当し、プロセッサ１９１上で動作するプログラム（ファームウェア）やリソース管理テーブル８００（図１１）等が記憶される。フラッシュメモリ１９３は、不揮発性の記録媒体であり、インターフェース１９０の電源を切った後で再び必要とされる情報を保持するために使用される。
【００３６】
リンクレイヤ１９５は、パケットレベルでデータのやりとりを行う層であり、例えば、ＩＥＥＥ１３９４では、上位のトランザクションレイヤから非同期命令やデータの通信を受け付けて、下位の物理レイヤとの間でパケットを単位としてデータの受け渡しを行う。リンクレイヤ１９５は、インターフェース１９０内部のバス１９８と接続して（図示しない）ＦＩＦＯ（Ｆｉｒｓｔ−Ｉｎ  Ｆｉｒｓｔ−Ｏｕｔ：先入れ先出し）メモリを介して外部の装置との間で非同期転送を行う。また、リンクレイヤ１９５は、デマルチプレクサ１６０と接続して、外部の装置との間でアイソクロナス転送を行う。
【００３７】
物理レイヤ１９６は、物理的なデータのやりとりを行う層であり、例えば、ＩＥＥＥ１３９４では、上位のリンクレイヤ１９５からのデータとバス４００からの電気信号とを相互に変換してデータ転送を行う。また、物理レイヤ１９６は、バス４００の初期化やバス４００の競合の調停等も行う。また、物理レイヤ１９６は、所定のコネクタ１９９を介してバス４００に接続する。
【００３８】
図５は、本発明の実施の形態におけるオーディオビデオハードディスク装置２００の構成例である。このオーディオビデオハードディスク装置２００は、プロセッサ２１０と、メモリ２２０と、フラッシュメモリ２３０と、ハードディスク２４０と、データコントローラ２６０と、インターフェース２９０とを備える。
また、これらはバス２８０を介して接続される。
【００３９】
プロセッサ２１０は、オーディオビデオハードディスク装置２００全体の動作を制御する。メモリ２２０は、プロセッサ２１０の主記憶に該当し、プロセッサ２１０上で動作するプログラム等が記憶される。フラッシュメモリ２３０は、不揮発性の記録媒体であり、オーディオビデオハードディスク装置２００の電源を切った後で再び必要とされる情報を保持するために使用される。
【００４０】
ハードディスク２４０は、ランダムアクセス可能なディスク型記録媒体であり、録画と再生を同時に実行することができる。データコントローラ２６０は、ハードディスク２４０をオーディオおよびビデオの記録媒体として使用するための制御を行うものであり、データフォーマットの変換等の処理を行う。また、データコントローラ２６０は、ハードディスク２４０を制御して、例えば、録画中の内容をユーザの指示により時間差で再生するタイムシフト機能を実現する。
【００４１】
インターフェース２９０は、オーディオビデオハードディスク装置２００内部のバス２８０と外部のバス４００とを接続する。また、インターフェース２９０は、上述のアイソクロナス転送を行うためにデータコントローラ２６０と接続する。このインターフェース２９０の内部構成は、図４により説明したインターフェース１９０と同様である。図２により説明したハードディスク２４０のリソーススケジュールボード２０９は、インターフェース２９０内のメモリ２９２に記憶される。
【００４２】
次に、本発明の実施の形態における動作概要について説明する。
【００４３】
図６は、タイムシフト録画中に予約録画が開始した場合の各装置の動作例を示したものである。この例では、バス４００上にデジタル放送受信装置１００、オーディオビデオハードディスク装置２００、および、セットトップボックス３００が接続されている。ここで、セットトップボックス３００としては、衛星や地上波によるデジタル放送受信のためのコントロールボックスとして動作するものを想定する。
【００４４】
まず、図６（ａ）では、デジタル放送受信装置１００からの指示によりオーディオビデオハードディスク装置２００においてタイムシフト録画が実行され、このタイムシフト録画の録画中にタイムシフト再生が行われている。オーディオビデオハードディスク装置２００は、内部のハードディスク２４０（図５）に関する予約状況を保持するリソーススケジュールボード２０９を有している。デジタル放送受信装置１００は、タイムシフト録画が行われている間、定期的もしくは断続的にリソーススケジュールボード２０９をチェックして、録画予約の存在およびその開始時刻に関する情報を得る。
【００４５】
その後、図６（ｂ）のように、セットトップボックス３００からオーディオビデオハードディスク装置２００に対して録画予約が実行されると、オーディオビデオハードディスク装置２００のリソーススケジュールボード２０９にその録画予約の内容が記録される。このとき、デジタル放送受信装置１００によるタイムシフト録画が行われているが、それにかかわらず録画予約は行われる。デジタル放送受信装置１００はリソーススケジュールボード２０９をチェックすることにより録画予約の存在を知るが、予約録画の開始時刻が迫るまではそのままタイムシフト録画を継続する。そして、予約録画の開始時刻が迫ると、デジタル放送受信装置１００は、オーディオビデオハードディスク装置２００によるタイムシフト録画を中止する。
【００４６】
そして、図６（ｃ）のように、予約録画の開始時刻になるとセットトップボックス３００による予約録画が実行される。デジタル放送受信装置１００は、この時点ではタイムシフト録画を中止しているが、それまでにされていたタイムシフト録画に基づいてタイムシフト再生を行うことはできる。その後、タイムシフト録画されていた内容のタイムシフト再生が完了すると、オーディオビデオハードディスク装置２００を用いたそれ以上のタイムシフト再生はできなくなる。
【００４７】
図７は、タイムシフト録画中に予約録画が開始した場合の各装置の他の動作例を示したものである。この例では、図６の例と異なり、デジタル放送受信装置１００が内蔵ハードディスク１０２を有している。
【００４８】
まず、図７（ａ）では、デジタル放送受信装置１００からの指示によりオーディオビデオハードディスク装置２００においてタイムシフト録画が実行され、このタイムシフト録画の録画中にタイムシフト再生が行われている。そして、セットトップボックス３００からオーディオビデオハードディスク装置２００に対して録画予約が実行されると、オーディオビデオハードディスク装置２００のリソーススケジュールボード２０９にその録画予約の内容が記録される。デジタル放送受信装置１００はリソーススケジュールボード２０９をチェックすることにより録画予約の存在を知る。そして、予約録画の開始時刻が迫ると、デジタル放送受信装置１００は、オーディオビデオハードディスク装置２００によるタイムシフト録画を中止する。
【００４９】
さらに、デジタル放送受信装置１００は、メモリ１９２（図４）に保持されたリソース管理テーブル８００（図１１）に基づき、オーディオビデオハードディスク装置２００に代わってタイムシフト録画を実行することが可能な装置を検索する。この例では、デジタル放送受信装置１００の内蔵ハードディスク１０２が利用可能であるとする。予約録画の開始時刻が迫ると、デジタル放送受信装置１００は、内蔵ハードディスク１０２においてタイムシフト録画を開始する。
【００５０】
そして、図７（ｂ）のように、予約録画の開始時刻になるとセットトップボックス３００による予約録画が実行される。デジタル放送受信装置１００は、この時点ではオーディオビデオハードディスク装置２００によるタイムシフト録画を中止しているが、それまでにされていたタイムシフト録画に基づいてタイムシフト再生を行うことができる。その後、オーディオビデオハードディスク装置２００においてタイムシフト録画されていた内容のタイムシフト再生が完了すると、オーディオビデオハードディスク装置２００を用いたそれ以上のタイムシフト再生はできなくなる。
【００５１】
一方、図７（ｃ）のように、オーディオビデオハードディスク装置２００を用いたタイムシフト再生が終了すると、今度は内蔵ハードディスク１０２を使用したタイムシフト再生が行われる。従って、セットトップボックス３００による予約録画を取り消すことなく実行する一方で、内蔵ハードディスク１０２を使用してタイムシフト再生を継続することができる。
【００５２】
図８は、図７の例による動作を時系列に表したタイムチャートである。デジタル放送受信装置１００は、オーディオビデオハードディスク装置２００によりタイムシフト録画６０１を行う。このタイムシフト録画６０１によって、オーディオビデオハードディスク装置２００を用いたタイムシフト再生６０２が可能となる。
【００５３】
そして、セットトップボックス３００による予約録画６２１の開始時刻が迫ると、デジタル放送受信装置１００は、オーディオビデオハードディスク装置２００によるタイムシフト録画６０１を中止するとともに、内蔵ハードディスク１０２においてタイムシフト録画６１１を開始する。
【００５４】
その後、セットトップボックス３００による予約録画６２１の開始時刻になるとオーディオビデオハードディスク装置２００において予約録画６２１が実行される。デジタル放送受信装置１００は、この時点ではオーディオビデオハードディスク装置２００によるタイムシフト録画６０１を中止しているが、それまでにされていたタイムシフト録画６０１に基づいてタイムシフト再生６０２を行うことができる。また、内蔵ハードディスク１０２によるタイムシフト録画６１１が行われていることから、これに基づいてタイムシフト再生６１２を行うことができる。
【００５５】
次に、本発明の実施の形態におけるリソーススケジュールボード２０９の実現例について説明する。
【００５６】
図９は、ＩＥＥＥ１３９４規格におけるブリテンボードサブユニットのディスクリプタの構成を示す図である。ＩＥＥＥ１３９４規格では、コマンドを発行するコントローラとコマンドを受信するターゲットとの間で仮想的なメモリ空間を共通の方式により実現するために、このようなディスクリプタメカニズムが設けられている。このディスクリプタは、ＡＶ／Ｃコマンドによりアクセスすることができる。
【００５７】
リソーススケジュールボード２０９は、予約情報を保持するリソーススケジュールエントリ（Ｒｅｓｏｕｒｃｅ  Ｓｃｈｅｄｕｌｅ  Ｅｎｔｒｙ）９０５により実現される。このリソーススケジュールエントリ９０５は、一つの予約に対して一つずつ存在する。リソーススケジュールエントリ９０５の各々は、インフォメーションエントリディスクリプタ（Ｉｎｆｏｒｍａｔｉｏｎ  Ｅｎｔｒｙ  Ｄｅｓｃｒｉｐｔｏｒ）９０４に包含される。インフォメーションエントリディスクリプタ９０４の集合はインフォメーションリストディスクリプタ（Ｉｎｆｏｒｍａｔｉｏｎ  Ｌｉｓｔ  Ｄｅｓｃｒｉｐｔｏｒ）９０３と呼ばれるデータ構造を構成する。このインフォメーションリストディスクリプタ９０３は、ブリテンボード毎に設けられる。
【００５８】
インフォメーションリストディスクリプタ９０３の記憶場所は、ブリテンボードサブユニットのサブユニットアイデンティファイアディスクリプタ（Ｓｕｂｕｎｉｔ  Ｉｄｅｎｔｉｆｉｅｒ  Ｄｅｓｃｒｉｐｔｏｒ）９０１におけるルートリスト識別子（ｒｏｏｔ  ｌｉｓｔ  ＩＤ）９０２により指し示される。
【００５９】
図１０は、ＩＥＥＥ１３９４規格におけるリソーススケジュールエントリ９０５の構成を示す図である。リソーススケジュールエントリ９０５は、大きく分けて、開始時刻（ｓｔａｒｔ＿ｔｉｍｅ）９１０、期間（ｄｕｒａｔｉｏｎ）９２０、反復情報（ｒｅｐｅａｔ＿ｉｎｆｏｒｍａｔｉｏｎ）９３０、および、サブユニット情報（ｓｕｂｕｎｉｔ＿ｒｅｓｏｕｒｃｅ＿ｉｎｆｏ＿ｂｌｏｃｋ）９４０の４つの情報を保持する。
【００６０】
開始時刻９１０は、予約録画の開始する時刻を示すものであり、年（ｙｅａｒ）９１１、月（ｍｏｎｔｈ）９１２、日（ｄａｙ）９１３、時（ｈｏｕｒ）９１４、分（ｍｉｎｕｔｅ）９１５、秒（ｓｅｃｏｎｄ）９１６の各フィールドから構成される。期間９２０は、開始時刻９１０からの時間的長さを示すものであり、時間（ｈｏｕｒｓ）９２１、分（ｍｉｎｕｔｅｓ）９２２、および、秒（ｓｅｃｏｎｄｓ）９２３の各フィールドから構成される。
【００６１】
反復情報９３０は、スケジュールの繰り返しがある場合に使用されるものであり、反復タイプ（ｒｅｐｅａｔ＿ｔｙｐｅ）９３１および反復方法９３２の各フィールドから構成される。反復タイプ９３１には「週毎（ｗｅｅｋｌｙ）」と「間隔（Ｉｎｔｅｒｖａｌ）」の何れかが指定され得る。反復タイプ９３１として「週毎」が指定された場合、反復方法９３２にはイベント数（ｎｕｍｂｅｒ＿ｏｆ＿ｅｖｅｎｔｓ）と曜日が指定される。例えば、イベント数「３回」で曜日として「火曜日」と「金曜日」が指定された場合、開始時刻９１０が「金曜日」に該当する日を指定していれば、その「金曜日」を初回として、その後の「火曜日」および「金曜日」の計３回のスケジュールが設定されたことになる。一方、反復タイプ９３１として「間隔」が指定された場合は、反復方法９３２としてイベント数および間隔の時間、分、秒が指定される。例えば、イベント数「３回」で間隔として「１時間」を指定している場合、期間９２０を「３０分」とすると、開始時刻９１０から「１時間」毎に「３０分」ずつスケジュールが設定されたことになる。
【００６２】
サブユニット情報９４０は、対応するスケジュールにおいて使用されるサブユニットのサブユニットタイプおよびサブユニット識別子９４１を示すものである。サブユニットタイプには、例えば、ディスク（Ｄｉｓｃ）、テープレコーダ／プレーヤ（Ｔａｐｅ  ｒｅｃｏｒｄｅｒ／ｐｌａｙｅｒ）、チューナ（Ｔｕｎｅｒ）、プリンタ（Ｐｒｉｎｔｅｒ）、ブリテンボード（Ｂｕｌｌｅｔｉｎ  Ｂｏａｒｄ）等がある。また、これらサブユニットタイプについて同じタイプのものが複数接続される場合もあることから、サブユニット同士を区別するためにサブユニット識別子が用いられる。
【００６３】
次に、本発明の実施の形態におけるリソース管理テーブル８００を生成する手順の一例について説明する。
【００６４】
図１１は、本発明の実施の形態におけるリソース管理テーブル８００の構成例である。このリソース管理テーブル８００は、接続されている装置の種別を示すものであり、サブユニットタイプ８０１と、サブユニット識別子８０２と、リソースタイプ８０３とを対応させて保持する。この例では、ディスクサブユニットとして３つのサブユニットが接続されており、サブユニット識別子「１」としてＣＤ（Ｃｏｍｐａｃｔ  Ｄｉｓｃ）装置が、サブユニット識別子「２」としてＤＶＤ（Ｄｉｇｉｔａｌ  Ｖｅｒｓａｔｉｌｅ  Ｄｉｓｋ）装置が、サブユニット識別子「３」としてＡＶ−ＨＤＤ（Ａｕｄｉｏ  Ｖｉｄｅｏ  Ｈａｒｄ  Ｄｉｓｋ  Ｄｒｉｖｅ）装置がそれぞれ接続されている。また、テープレコーダ／プレーヤサブユニットとして３つのサブユニットが接続されており、サブユニット識別子「１」としてＤ−ＶＨＳ（Ｄｉｇｉｔａｌ  Ｖｉｄｅｏ  Ｈｏｍｅ  Ｓｙｓｔｅｍ）装置が、サブユニット識別子「２」としてＭＰＥＧ  ＣＡＭ（ＭＰＥＧＣａｍｃｏｄｅｒ）装置が、サブユニット識別子「３」としてＤＶ  ＣＡＭ（Ｄｉｇｉｔａｌ  Ｖｉｄｅｏ  Ｃａｍｃｏｒｄｅｒ）装置がそれぞれ接続されている。
【００６５】
リソースタイプ８０３は、例えばＩＥＥＥ１３９４規格においてサブユニット毎に定義されるデータ構造を読み出すことにより知ることができる。一例として、ディスクサブユニットの場合にはディスクリプタメカニズムによりメディアタイプを調べることができる。また、テープレコーダ／プレーヤサブユニットタイプの場合には、ディスクリプタにアクセスすることなく、ＡＶ／Ｃコマンドを用いて対象フォーマットを調べることができる。
【００６６】
図１２は、ＩＥＥＥ１３９４規格におけるディスクサブユニットのサブユニットアイデンティファイアディスクリプタ５０１の構成を示す図である。このサブユニットアイデンティファイアディスクリプタ５０１は、図９により説明したブリテンボードサブユニットのサブユニットアイデンティファイアディスクリプタ９０１と同様に、ルートリスト識別子５０２を有する。但し、このルートリスト識別子５０２が指し示すものは、ディスクサブユニットの（図示しない）インフォメーションリストディスクリプタである。
【００６７】
サブユニットアイデンティファイアディスクリプタ５０１は、ディスクサブユニット固有情報（Ｄｉｓｃ  Ｓｕｂｕｎｉｔ  ｄｅｐｅｎｄｅｎｔ  ｉｎｆｏｒｍａｔｉｏｎ）５０３の一つとして、メディアタイプ（ｓｕｐｐｏｒｔｅｄ＿ｍｅｄｉａ＿ｔｙｐｅ）５０４を保持する。このメディアタイプ５０４が「ＡＶ−ＨＤＤ」を示していればそのディスクはタイムシフト機能を有するオーディオビデオハードディスク装置として利用できることになる。
【００６８】
また、他の手段としては、例えば、ＩＥＥＥ１３９４規格におけるレジスタ空間においてコンフィグレーションＲＯＭを調べることにより、どのような機器が接続されているかを知ることも可能である。このコンフィグレーションＲＯＭには、機器固有の情報が書かれている。
【００６９】
図１３は、リソース管理テーブル８００を生成する手順の一例を示すフローチャートである。ＩＥＥＥ１３９４規格では、何れかのインターフェースに新たな装置が接続され又はこれまで接続されていた装置が切り離されるとバスリセット信号が発生する（ステップＳ７０１）。バスリセットが発生すると接続されている機器のトポロジー構成の初期化が行われる。資源調査部７０（図１）は、バスリセットの発生を検知すると、機器の種別を調査する（ステップＳ７０２）。例えばＩＥＥＥ１３９４規格では、サブユニット情報を取得するためのＡＶ／Ｃコマンドを発行することにより、サブユニットタイプおよびサブユニット識別子が得られる。
【００７０】
得られたサブユニットタイプがディスクサブユニットであれば（ステップＳ７０３）、さらにディスクの種別を調査する（ステップＳ７０４）。例えばＩＥＥＥ１３９４規格では、上述のようにディスクサブユニットのサブユニットアイデンティファイアディスクリプタ５０１（図１２）のメディアタイプ５０４を読み出すことによりディスクの種別を判別できる。そして、このようにして得られた情報をリソース管理テーブル８００（図１１）に登録する（ステップＳ７０５）。
【００７１】
なお、ここでは得られたサブユニットタイプがディスクサブユニットである場合について説明したが、例えば他のサブユニットについてもサブユニット毎に定められたデータ構造にアクセスすることによりリソースタイプ８０３を取得することができる。例えば、上述のようにテープレコーダ／プレーヤサブユニットタイプの場合には、ＡＶ／Ｃコマンドを用いて得られる対象フォーマットがリソースタイプ８０３となる。
【００７２】
次に、本発明の実施の形態におけるアクセス制御方法の動作について図面を参照して説明する。
【００７３】
図１４および図１５は、本発明の実施の形態におけるアクセス制御方法の一例を示すフローチャートである。ここでは、図７で説明したように、デジタル放送受信装置１００がオーディオビデオハードディスク装置２００（機器Ａ）を使用してタイムシフト録画を行っている最中にセットトップボックス３００による予約録画が開始するため、デジタル放送受信装置１００は内蔵ハードディスク１０２（機器Ｂ）を用いてタイムシフト録画を継続するケースを想定している。
【００７４】
まず、デジタル放送受信装置１００は、機器Ａを用いたタイムシフト録画を開始する（ステップＳ７１１）。この機器Ａにリソーススケジュールボード２０９がなければ（ステップＳ７１２）、予約録画の開始時刻を把握できないため、タイムシフト録画を中止することはせずに（ステップＳ７１３）タイムシフト録画の終了まで動作を継続する（ステップＳ７１４）。
【００７５】
機器Ａにリソーススケジュールボード２０９があれば（ステップＳ７１２）、デジタル放送受信装置１００によってリソーススケジュールボード２０９がチェックされ（ステップＳ７１６）、セットトップボックス３００による予約録画の開始時刻が迫るまでタイムシフト録画が継続される（ステップＳ７１７）。予約録画の開始時刻が迫る前にタイムシフト録画が終了する場合には（ステップＳ７１５）、タイムシフト録画を中止することはせずにタイムシフト録画の終了まで動作を継続する（ステップＳ７１４）。
【００７６】
デジタル放送受信装置１００は、タイムシフト録画が行われている間、定期的もしくは断続的にリソーススケジュールボード２０９をチェックして（ステップＳ７１６）、セットトップボックス３００による予約録画の開始時刻が迫ると機器Ａによるタイムシフト録画を中止する（ステップＳ７１８）。
【００７７】
また、デジタル放送受信装置１００は、リソース管理テーブル８００により、機器Ａの代わりにタイムシフト録画をすることができる機器Ｂを検索する（ステップＳ７２１）。利用可能な機器Ｂが見つからなかった場合にはそれ以降のタイムシフト録画は行われない（ステップＳ７２２）。利用可能な機器Ｂが見つかった場合には、機器Ｂを利用してタイムシフト録画を開始する（ステップＳ７２３）。そして、タイムシフト録画の終了まで（ステップＳ７２４）動作を継続する（ステップＳ７２５）。
【００７８】
このように、本発明の実施の形態によれば、記録媒体４０を用いたタイムシフト録画中にアクセス制御部３０が資源予約部９０を検索することにより予約録画の開始時刻を取得し、予約録画の開始時刻が迫るとアクセス制御部３０が記録媒体４０を用いたタイムシフト録画を中止する。これにより、タイムシフト録画に妨げられることなく予約録画を実行することができる。
【００７９】
また、本発明の実施の形態によれば、資源調査部７０により生成された資源管理部８０から記録媒体４０の代わりに利用可能な記録媒体４１をアクセス制御部３０が検索することにより、記録媒体４０を用いたタイムシフト録画を中止した後で記録媒体４１を用いたタイムシフト録画を行うことができる。
【００８０】
なお、ここでは本発明の実施の形態を例示したものであり、本発明はこれに限られず、本発明の要旨を逸脱しない範囲において種々の変形を施すことができる。
【００８１】
また、ここで説明した処理手順はこれら一連の手順を有する方法として捉えてもよく、これら一連の手順をコンピュータに実行させるためのプログラム乃至そのプログラムを記憶する記録媒体として捉えてもよい。
【００８２】
【発明の効果】
以上の説明で明らかなように、本発明によると、記録媒体への記録中に当該記録媒体に関する記録予約が存在していた場合であっても、この記録予約を取り消すことなく実行できるという効果が得られる。
【図面の簡単な説明】
【図１】本発明の実施の形態による記録再生システムの機能構成の一例を示す図である。
【図２】本発明の実施の形態による記録再生システムの具体例を示す図である。
【図３】本発明の実施の形態におけるデジタル放送受信装置１００の構成例を示す図である。
【図４】本発明の実施の形態におけるインターフェース１９０の構成例を示す図である。
【図５】本発明の実施の形態におけるオーディオビデオハードディスク装置２００の構成例を示す図である。
【図６】タイムシフト録画中に予約録画が開始した場合の各装置の動作例を示す図である。
【図７】タイムシフト録画中に予約録画が開始した場合の各装置の他の動作例を示す図である。
【図８】タイムシフト録画中に予約録画が開始した場合の動作を時系列に表したタイムチャートである。
【図９】ＩＥＥＥ１３９４規格におけるブリテンボードサブユニットのディスクリプタの構成を示す図である。
【図１０】ＩＥＥＥ１３９４規格におけるリソーススケジュールエントリ９０５の構成を示す図である。
【図１１】本発明の実施の形態におけるリソース管理テーブル８００の構成例を示す図である。
【図１２】ＩＥＥＥ１３９４規格におけるディスクサブユニットのサブユニットアイデンティファイアディスクリプタ５０１の構成を示す図である。
【図１３】リソース管理テーブル８００を生成する手順の一例を示すフローチャートである。
【図１４】本発明の実施の形態におけるアクセス制御方法の一例を示すフローチャートである。
【図１５】本発明の実施の形態におけるアクセス制御方法の一例を示す他のフローチャートである。
【符号の説明】
１０  アクセス制御装置
２０、２１  記録再生装置
３０  アクセス制御部
４０、４１  記録媒体
７０  資源調査部
８０  資源管理部
９０、９１  資源予約部
１００  デジタル放送受信装置
１０２  内蔵ハードディスク
１０７  スピーカ
１０８  ディスプレイ
１０９  アンテナ
１１０  プロセッサ
１２０  メモリ
１３０  フラッシュメモリ
１４０  チューナ
１５０  復調部
１６０  デマルチプレクサ
１６７  音声復号部
１６８  画像復号部
１７０  Ｄ／Ａ変換部
１７７  音声出力部
１７８  画像出力部
１８０  バス
１９０  インターフェース
１９１  プロセッサ
１９２  メモリ
１９３  フラッシュメモリ
１９５  リンクレイヤ
１９６  物理レイヤ
１９８  バス
１９９  コネクタ
２００  オーディオビデオハードディスク装置
２０９  リソーススケジュールボード
２１０  プロセッサ
２２０  メモリ
２３０  フラッシュメモリ
２４０  ハードディスク
２６０  データコントローラ
２８０  バス
２９０  インターフェース
２９２  メモリ
３００  セットトップボックス
４００  バス
８００  リソース管理テーブル
【図１】
2004221907.tif 000003
【図２】
2004221907.tif 000004
【図３】
2004221907.tif 000005
【図４】
2004221907.tif 000006
【図５】
2004221907.tif 000007
【図６】
2004221907.tif 000008
【図７】
2004221907.tif 000009
【図８】
2004221907.tif 000010
【図９】
2004221907.tif 000011
【図１０】
2004221907.tif 000012
【図１１】
2004221907.tif 000013
【図１２】
2004221907.tif 000014
【図１３】
2004221907.tif 000015
【図１４】
2004221907.tif 000016
【図１５】
2004221907.tif 000017